(57)【要約】【課題】非点灯時にブラケットの色が正面側から見えることによる見栄えの低下を防ぐことができる導光体を提供すること。【解決手段】入射面５と該入射面５から入射する光を反射させて出射面９から出射させる反射面４，６，７を含む光学系２を備え、反出射面側が有彩色のブラケット１０によって支持される導光体１において、反出射面側の一部に溝状の空気層１１を前記ブラケット１０の全長に亘って形成する。又、導光体１の前記空気層１１を形成する外端側の壁１Ｂの内面１ａと外面１ｂに光拡散用のローレットを施す。本発明によれば、非点灯時に正面の出射面９から導光体１の内部に入射した光が空気層１１によって拡散するため、ブラケット１０の色（例えば、黒色）がまだらに見え、ブラケット１０の色が正面からそのまま直接見えることがなくなり、当該導光体１の非点灯時の見栄えの低下が防がれる。【選択図】図５
2017045520.tif 000002
【特許請求の範囲】
【請求項１】
入射面と該入射面から入射する光を反射させて出射面から出射させる反射面を含む光学系を備え、反出射面側が有彩色のブラケットによって支持される導光体において、
反出射面側の一部に溝状の空気層を前記ブラケットの全長に亘って形成したことを特徴とする導光体。
【請求項２】
前記空気層を形成する外端側の壁の内外面に光拡散用のローレットを施したことを特徴とする請求項１記載の導光体。
【発明の詳細な説明】
【技術分野】
【０００１】
本発明は、光源から入射する光を導く過程で該光を反射させることによって発光する導光体に関するものである。
【背景技術】
【０００２】
例えば、車両の左右に配置されるポジションランプ等の車両用灯具の光源として、発光効率が高くて高輝度、省電力等の利点を有するＬＥＤ（発光ダイオード）が使用されつつある。このＬＥＤからは指向性の強い光が出射されるため、この指向性の強い光を導光体に導き、この導光体の全体を発光させることが行われている。即ち、導光体は、光源に対向する入射面から入射する光を内部において導く過程で、反射面で反射させて出射面から出射させることによって発光する。
【０００３】
ところで、例えば特許文献１には、導光体として平板状のものを用い、水平に設置された導光板に対して光軸が上下方向に延びている光源から出射する光を光軸に対して直交する方向に放射状に反射させる反射面と、該反射面によって左右に反射した水平光を正面側の細長い長方形の出射面に向かって反射させる反射面を導光体に形成し、該導光体の細長い出射面を発光させるものが提案されている。
【０００４】
ここで、ポジションランプ等の車両用灯具に用いられる板状の導光体の一例を図８に示す。
【０００５】
即ち、図８は従来の導光体の一例を示す断面図であり、図示の板状の導光体１０１の正面は、横方向（図８の紙面垂直方向）に細長い反射面とされており、該導光体の反出射面は、横断面がＬ字状の有彩色（例えば、黒色）のブラケット１１０によって支持されている。このような導光体１０１において、裏面側に配置されたＬＥＤ等の不図示の光源が発光すると、該光源から出射する光は、導光体１０１の複数の不図示の反射面によって反射して水平な光が出射面１０９から出射するため、該導光体１０１の出射面１０９が細長く発光する。
【先行技術文献】
【特許文献】
【０００６】
【特許文献１】特許第４４５８３５９号公報
【発明の概要】
【発明が解決しようとする課題】
【０００７】
しかしながら、図８に示す従来の導光体１０１においては、非点灯時に正面の出射面からブラケット１１０の色（例えば、黒色）が直接見えるため、当該導光体１０１の非点灯時の見栄えが悪いという問題があった。
【０００８】
本発明は上記問題に鑑みてなされたもので、その目的とする処は、非点灯時にブラケットの色が正面側から見えることによる見栄えの低下を防ぐことができる導光体を提供することにある。
【課題を解決するための手段】
【０００９】
上記目的を達成するため、請求項１記載の発明は、入射面と該入射面から入射する光を反射させて出射面から出射させる反射面を含む光学系を備え、反出射面側が有彩色のブラケットによって支持される導光体において、反出射面側の一部に溝状の空気層を前記ブラケットの全長に亘って形成したことを特徴とする。
【００１０】
請求項２記載の発明は、請求項１記載の発明において、前記空気層を形成する外端側の壁の内外面に光拡散用のローレットを施したことを特徴とする。
【発明の効果】
【００１１】
請求項１記載の発明によれば、非点灯時に正面の出射面から導光体の内部に入射した光が空気層によって拡散するため、ブラケットの色（例えば、黒色）がまだらに見え、ブラケットの色が正面からそのまま直接見えることがなくなり、当該導光体の非点灯時の見栄えの低下が防がれる。
【００１２】
請求項２記載の発明によれば、空気層によって拡散された光がローレットによって更に拡散されるため、非点灯時にブラケットの色が導光体の正面から更に見えにくくなり、当該導光体の非点灯時の見栄えの低下が一層効果的に防がれる。
【図面の簡単な説明】
【００１３】
【図１】本発明に係る導光体の平面図である。
【図２】本発明に係る導光体の正面図である。
【図３】図１のＡ部拡大詳細図である。
【図４】図２のＢ部拡大詳細図である。
【図５】図３のＣ−Ｃ線断面図である。
【図６】図３のＤ−Ｄ線断面図である。
【図７】図４のＥ−Ｅ線断面図である。
【図８】従来の導光体の断面図である。
【発明を実施するための形態】
【００１４】
以下に本発明の実施の形態を添付図面に基づいて説明する。
【００１５】
図１は本発明に係る導光体の平面図、図２は同導光体の正面図、図３は図１のＡ部拡大詳細図、図４は図２のＢ部拡大詳細図、図５は図３のＣ−Ｃ線断面図、図６は図３のＤ−Ｄ線断面図、図７は図４のＥ−Ｅ線断面図である。
【００１６】
図１及び図２に示す導光体１は、ポジションランプのインナレンズとして使用される横方向に長い板状の部材であって、平面視及び正面視において端部（図１及び図２の右端部）が屈曲した形状を有している。この導光体１は、アクリルやポリカーボネイト等の導光性の高い樹脂材料によって一体に成形されており、これには複数（図示例では１０個）の光学系２が横方向に適当な間隔で並設されている。
【００１７】
ここで、図６に示すように、導光体１の裏面側（図２の下面側）には、光源であるＬＥＤ３が各光学系２に対応してそれぞれ配置されており、各ＬＥＤ３は、その光軸ｘが上下方向となる向きに垂直に設置されている。そして、導光体１のＬＥＤ３に対向する裏面には、各光学系２ごとに、円錐台状の凸部１Ａが下方に向かって一体に突設されており、この凸部１Ａの側面は凸曲面状の第１反射面４とされている。又、各円錐台状の凸部１Ａの下部中心部には凹溝状の入射面５が形成されている。
【００１８】
更に、図６に示すように、導光体１の表面（図６の上面）の各光学系２の入射面５及び第１反射面４に対向する箇所にはＶカット状の第２反射面６が形成されており、この第２反射面６の外側の一部には垂直な円弧面状の第３反射面７が形成されており、各光学系２は、入射面５と第１反射面４、第２反射面６及び第３反射面７を含んで構成されている。そして、図１及び３に示すように、隣接する２つの光学系２の円弧面状の第３反射面７同士は、Ｖ字状を成す斜面８で接続されており、本実施の形態では、図３、図５及び図７に示すように、Ｖ字状を成す斜面８の一部（Ｖ字の先端部分）には段凸部８ａが一体に形成されている。
【００１９】
他方、図３及び図５に示すように、導光体１の各光学系２を構成する第２反射面６の一部には、図３及び図７に示すように、Ｖ字状の斜面８の一部に形成された前記段凸部８ａに向けて光を反射させる反射部６ａが形成されている。
【００２０】
又、図１〜図４及び図７に示すように、導光体１の正面は細長い出射面９とされており、この出射面９には、配光用のレンズカットが施されている。
【００２１】
ところで、図１、図３及び図５に示すように、導光体１は、その反出射面側の端部（図６の左端部）が横断面がＬ字状を成す有彩色（本実施の形態では黒色）のブラケット１０によって支持されるが、このブラケット１０に支持される部分には、表面に向かって開口する凹溝状の空気層１１がブラケット１０の全長に亘って形成されている。そして、導光体１の空気層１１を形成する外端側の壁１Ｂの内面１ａと外面１ｂには、光拡散用のローレットが施されている。
【００２２】
而して、以上のように構成された導光体１において、各ＬＥＤ３に電流が供給されて該ＬＥＤ３がそれぞれ発光すると、図６に示すように、各ＬＥＤ３から上方に向かって出射する光は、導光体１の各光学系２における入射面５から該導光体１の内部に入射する。そして、導光体１の内部に入射した光は、各光学系２の第１反射面４でＬＥＤ３の光軸ｘ方向（図６の上方に）向けて反射し、その反射光は、第２反射面６によってＬＥＤ３の光軸ｘと直交する方向（水平方向）に向けて放射状に反射する。この第２反射面６で反射した光の一部は、そのまま正面側の出射面９に向かい、他の一部は、図７にＬにて示すように第３反射面７で正面側の出射面９に向かい、これらの光は、最終的に出射面９から正面に向かって出射するため、横方向に細長い出射面９が発光し、当該導光体１を備えるポジションランプがその本来の機能を発揮する。
【００２３】
ところで、本実施の形態では、導光体１に並設された隣接する２つの光学系２に設けられた円弧面状の第３反射面７同士を接続するＶ字状の斜面８の一部に段凸部８ａを形成するとともに、各光学系２の第２反射面６の一部に反射部６ａを形成したため、第２反射面６で反射した光の一部が図７に示すように反射部６ａによって斜面８の段凸部８ａに向けて反射し、この段凸部８ａで正面側の出射面９に向けて反射して最終的に出射面９から正面側へと出射する。この結果、図３に示すように、隣接する２つの光学系２の一方（図３の左側）において出射面９に向かう光Ｌ１の限界が他方（図３の右側）の光学系２において第３反射面７で反射して出射面９に向かう光Ｌ２の限界に近づき、両者間のダークになる部分の幅が狭くなる。このため、導光体１の出射面９の全体が均一に発光するという効果が得られる。
【００２４】
又、本実施の形態に係る導光体１においては、反出射面側の一部に溝状の空気層１１をブラケット１０の全長に亘って形成したため、非点灯時に正面の出射面９から導光体１の内部に入射した光が空気層１１によって拡散する。このため、正面からはブラケット１０の色（本実施の形態では、黒色）がまだらに見え、ブラケット１０の色が正面からそのまま直接見えることがなくなり、当該導光体１の非点灯時の見栄えの低下が防がれる。そして、本実施の形態では、導光体１の空気層１１を形成する外端側の壁１Ｂの内面１ａと外面１ｂに光拡散用のローレットを施したため、空気層１１によって拡散された光がローレットによって更に拡散され、非点灯時にブラケット１０の色が導光体の正面から更に見えにくくなり、当該導光体１の非点灯時の見栄えの低下が一層効果的に防がれる。
【００２５】
尚、以上は本発明をポジションランプのインナレンズとして使用される導光体に対して適用した形態について説明したが、本発明は、他の任意の灯具に用いられる導光体に対しても同様に適用可能であることは勿論である。又、以上の実施の形態では、光源としてＬＥＤを使用したが、本発明は、バルブ等のＬＥＤ以外の他の任意の光源の光によって発光する導光体に対しても同様に適用可能である。
【符号の説明】
【００２６】
１          導光体
１Ａ        導光体の凸部
１Ｂ        導光体の壁
１ａ        導光体の壁の内面
１ｂ        導光体の壁の内面
２          導光体の光学系
３          ＬＥＤ（光源）
４          第１反射面
５          入射面
６          第２反射面
６ａ        第２反射面の反射部
７          第３反射面
８          斜面
８ａ        反射面の段凸部
９          出射面
１０        ブラケット
１１        導光体の空気層
Ｌ１，Ｌ２  光
ｘ          ＬＥＤの光軸
【図１】
2017045520.tif 000003
【図２】
2017045520.tif 000004
【図３】
2017045520.tif 000005
【図４】
2017045520.tif 000006
【図５】
2017045520.tif 000007
【図６】
2017045520.tif 000008
【図７】
2017045520.tif 000009
【図８】
2017045520.tif 000010